(57)【要約】【課題】脱臭装置を有するゴミ箱のゴミの投入口を開口した際、投入口からの臭いが気になること。【解決手段】ゴミを投入する容器２内に設けられ、容器２内の空気を吸引、排出するための、吸引口４と排出口６とを備え、容器２内の吸引口４から吸引した空気を脱臭装置５で脱臭し、脱臭後の空気を容器２の排出口６から容器２内に排出すると共に、投入口２０を開いたときに、容器２内で排出口６から吸引口４に向かう空気の流れが、投入口２０から容器２外へ出ようとする空気を遮る構成としたことにより、容器２内の臭いを含んだ空気が投入口２０を介して容器２の外へ排出されなくなり、容器２内からの臭いが、気にならなくなるものである。【選択図】図１
2010076906.tif 000002
【特許請求の範囲】
【請求項１】
ゴミを投入する容器と、前記容器の上部に設けられた、ゴミの出し入れのための投入口と、前記投入口を開閉する蓋と、前記容器内の臭いを脱臭する脱臭装置と、前記脱臭装置を通過する空気の流れを発生させるファンと、前記容器内に設けられ、前記容器内の空気を吸引、排出するための、吸引口と排出口と、制御手段とを備え、前記容器内の吸引口から吸引した空気を脱臭装置で脱臭し、脱臭後の空気を前記容器の排出口から容器内に排出すると共に、前記投入口を開いたときに、前記容器内で前記排出口から前記吸引口に向かう空気の流れが、前記投入口から容器外へ出ようとする空気を遮る構成としたゴミ箱。
【請求項２】
投入口の閉時直後から所定時間、ファンの回転数を、通常の回転数より大きくした請求項１記載のゴミ箱。
【請求項３】
投入口の開時直後から所定時間、ファンの回転数を、通常の回転数より大きくした請求項１記載のゴミ箱。
【発明の詳細な説明】
【技術分野】
【０００１】
本発明は、ゴミ箱に関するもので、特にゴミ箱から放出される臭いを削減する脱臭装置を有したゴミ箱に関するものである。
【背景技術】
【０００２】
従来、脱臭装置を備えたゴミ箱は、容器と蓋とから構成されていた（例えば、特許文献１参照）。また、蓋については、足ふみ式で踏むと蓋が開くタイプもある。さらに、内容物の臭いを出さないように、内蓋があって内圧を負圧にすることで、臭いを放出しないようにしたゴミ箱も提案されている。
【０００３】
近年、環境面での配慮によって分別処理が進んできており、家庭でも複数のゴミ箱を設置しているところもある。臭いを出さないようにするために、蓋のタイト性をあげるなどの対応が考えられるが、それらの色々と対応をすることにより、ゴミの出し入れについての手間が多く係ることになる。
【特許文献１】特開平１−２５２４０１号公報
【発明の開示】
【発明が解決しようとする課題】
【０００４】
しかしながら、前記従来の構成においては、使用者がゴミ箱にゴミを入れようとすると、蓋のタイトを解除するために、作業を多くする必要が発生する。またゴミを出すときについても中の臭いが放出される可能性もある。
【０００５】
さらに、ゴミを入れたり出したりする際の中のゴミの臭いが気になることも考えられ、容器にも臭いがしみこんでしまうことも考えられる。
【０００６】
本発明は、前記従来の課題を解決するもので、ゴミを出し入れする際に、容器内の臭いが気にならないゴミ箱を提供することを目的とする。
【課題を解決するための手段】
【０００７】
前記従来の課題を解決するために、本発明のゴミ箱は、ゴミを投入する容器と、前記容器の上部に設けられた、ゴミの出し入れのための投入口と、前記投入口を開閉する蓋と、前記容器内の臭いを脱臭する脱臭装置と、前記脱臭装置を通過する空気の流れを発生させるファンと、前記容器内に設けられ、前記容器内の空気を吸引、排出するための、吸引口と排出口と、制御手段とを備え、前記容器内の吸引口から吸引した空気を脱臭装置で脱臭し、脱臭後の空気を前記容器の排出口から容器内に排出すると共に、前記投入口を開いたときに、前記容器内で前記排出口から前記吸引口に向かう空気の流れが、前記投入口から容器外へ出ようとする空気を遮る構成としたものである。
【０００８】
これによって、ゴミを出し入れする際に、投入口を開放しても、投入口を介して容器外へ出ようとする臭いを含んだ容器内の空気を、容器内で排出口から吸引口に向かう空気の流れが遮るため、臭いを含んだ空気が容器外に排出されず、容器内の臭いが気にならなくなるものである。
【発明の効果】
【０００９】
本発明のゴミ箱は、ゴミの投入口を開口しても、臭いが気にならなくなるものである。
【発明を実施するための最良の形態】
【００１０】
第１の発明は、ゴミを投入する容器と、前記容器の上部に設けられた、ゴミの出し入れのための投入口と、前記投入口を開閉する蓋と、前記容器内の臭いを脱臭する脱臭装置と、前記脱臭装置を通過する空気の流れを発生させるファンと、前記容器内に設けられ、前記容器内の空気を吸引、排出するための、吸引口と排出口と、制御手段とを備え、前記容器内の吸引口から吸引した空気を脱臭装置で脱臭し、脱臭後の空気を前記容器の排出口から容器内に排出すると共に、前記投入口を開いたときに、前記容器内で前記排出口から前記吸引口に向かう空気の流れが、前記投入口から容器外へ出ようとする空気を遮る構成としたことにより、ゴミを出し入れする際に、投入口を開放しても、投入口を介して容器外へ出ようとする臭いを含んだ容器内の空気を、容器内で排出口から吸引口に向かう空気の流れが遮るため、臭いを含んだ空気が容器外に排出されず、容器内の臭いが気にならなくなるものである。
【００１１】
第２の発明は、第１の発明の投入口の閉時直後から所定時間、ファンの回転数を、通常の回転数より大きくしたことにより、第１の発明の効果に加えて、容器内に新たに投入されたゴミの臭いを、いち早く脱臭できるようにできる。
【００１２】
第３の発明は、第１の発明の投入口の開時直後から所定時間、ファンの回転数を、通常の回転数より大きくしたことにより、より一層、容器内のごみの臭いを放出しないように出来るものである。
【００１３】
以下、本発明の実施の形態について、図面を参照しながら説明する。尚、本発明の実施の形態によって本発明が限定されるものではない。
【００１４】
（実施の形態１）
図１は本発明の第１の実施の形態における、ゴミ箱のイメージ図を、図２は、同ゴミ箱の脱臭装置のイメージ図を、図３は、同ゴミ箱のスイッチまわりを表す要部断面図を、図４は、同ゴミ箱の回路ブロック図を、図５は、同ゴミ箱の容器内の気流を表すイメージ図を、図６は、同ゴミ箱の容器上部の投入口を開口したときの、容器内の気流を表すイメージ図を、それぞれ示すものである。
【００１５】
図１〜図６において、使用者がゴミ箱にゴミを入れる際には、蓋３を外して投入口２０を開口し、中にゴミを投入する。図１に示したように、ゴミ箱１は、容器２と蓋３とで構成される。ここで、吸気口４から容器２の外へ内部の空気を出し、脱臭装置５に注入している。注入された空気は、脱臭装置５で脱臭され、容器２の排気口６に戻される。前記吸気口４と前記脱臭装置５の間を連結させる吸引パイプ７があり、脱臭装置５と排気口６を連結する排気パイプ８がある。また、脱臭装置５の内部については、放電用の電極が針９、平板１０、ファン１１があり、ファン１１によって気流を発生させ、放電している部分に吸引された空気を通過させることで脱臭を行う構成である。
【００１６】
以上のように構成されたゴミ箱について、以下その動作、作用を説明する。
【００１７】
次に、動作について説明する。
【００１８】
まず、使用者がゴミをゴミ箱に入れる場合について説明する。
【００１９】
使用者が前記蓋３の取っ手を持って蓋３を外し、投入口２０を開けると、通常は内部の空気が容器２から放出されるため臭いがでる。そこで、蓋３を介して、投入口２０が閉まっているときと開いたときを検出するスイッチ１２を設け、この蓋３の状態を制御手段１３が検出する。蓋３が外され、投入口２０が開口しているとき、スイッチ１２によって、この情報が送られると制御手段１３はファン１１を動作させ、放電も行うために、電極間に電圧を印加する（ここで、放電についてはストリーマ放電などを発生させ、活性種を発生できることで、通過する臭い成分を酸化分解する構成で説明する）。この動作によって、前記容器２内の臭いをもった空気が、前記吸気口４を通り、吸引パイプ７、脱臭装置５を通過し、脱臭されたあと排気パイプ８を通じて排気口６から容器２内へ送り込まれる。この送り込まれた空気は、再度前記吸気口４側へ流れようとする。この間でも、前記吸気口４からの吸引が行われているので、前記排気口６から吸気口４に向けての風の流れが形成されることになる。
【００２０】
ここで、排気口６と吸気口４を投入口２０方向への空気の流れに対して垂直の方向に気流が起こるような位置関係（図５）にするために、排気口６を吸気口４の高さ以上とし、内部からの上部への放出を防ぐ位置関係に気流を発生させる。
【００２１】
また、容器２の内部に専用の袋を入れて使用される場合も多々ある。この場合に、専用袋１５を容器２の壁面にくっつけて装着されると、吸気口４および排気口６の口を遮ることになり、思い通りの気流を発生することは出来なくなってしまう。そこで、図６のように、吸気口４および排気口６のカバー１６を設け、吸気および排気に影響がないようにする。さらに、カバー１６の方向についても、図６のように排気口６のカバー１６については上部側に、吸気口４のカバー１６については底部側に開放する方が、より気流を意図的に効率よく形成できる。内部の臭いを外部に放出しない方向であり、また臭いの放出を防止する効果が得られる方向である。
【００２２】
次に蓋を閉めた場合の動作について説明する。
【００２３】
使用者によって、前記蓋３により、投入口２０が閉められると前記スイッチ１２が閉められたことを検出すると、前記制御手段１３が信号を受ける。ここで新しいゴミが入れられたと判断し、はじめの例えば５分間については、ファン１１の回転数をＵＰし、単位時間当たりに、脱臭装置５へ送り込む量をＵＰさせる。これによってゴミを入れられた直後での臭い発生を抑えることが出来る。また早くに容器２内の気流を形成できることで、より効果的な脱臭と外部への放出を防止することが出来る。
【００２４】
また、この構成において蓋３により、投入口２０を開けた場合についても説明する。
【００２５】
図６のように、蓋３を外して、投入口２０を開けると、上記と同様にスイッチ１２によって蓋３を介して、投入口２０が開けられたことが検出できる。この検知信号を前記制御手段１３が受けて、前記ファン１１の回転数をＵＰさせる（ここで、投入口２０を開ける前でも、内部の気流を発生させ脱臭を継続することを行っているので、前記ファン１１は動作を行っている）。すると、図６の矢印のような気流がより強く発生するので、内部の専用袋１５の口の上部を気流が流れている状態となる。
【００２６】
よって、専用袋１５から放出される臭いについては、前記気流によって容器２の底部の吸気口４に導かれるために、使用者が臭いを感じることはない。この状態で、使用者が専用袋１５の袋口を閉じれば、臭いを感じることなくゴミの処理をすることが出来る。また、ゴミを投入するだけであれば、そのまま投入し蓋３により、投入口２０を閉めることで、臭いを感じることなくゴミ箱１の蓋３を介して、投入口２０を開閉できることになる。
【図面の簡単な説明】
【００２７】
【図１】本発明の実施の形態１におけるゴミ箱のイメージ図
【図２】同、ゴミ箱の脱臭装置のイメージ図
【図３】同、ゴミ箱のスイッチまわりを表す要部断面図
【図４】同、ゴミ箱の回路ブロック図
【図５】同、ゴミ箱の容器内の気流を表すイメージ図
【図６】同、ゴミ箱の容器上部の投入口を開口した状態における、容器内の気流を表すイメージ図
【符号の説明】
【００２８】
１    ゴミ箱
２    容器
３    蓋
４    吸気口
５    脱臭装置
６    排気口
１１  ファン
１２  スイッチ
１３  制御手段
１５  専用袋
２０  投入口
【図１】
2010076906.tif 000003
【図２】
2010076906.tif 000004
【図３】
2010076906.tif 000005
【図４】
2010076906.tif 000006
【図５】
2010076906.tif 000007
【図６】
2010076906.tif 000008